(57)【特許請求の範囲】
【請求項１】
携帯端末の画面で同時に表示させる複数のページを示すページ選択情報であって前記携帯端末でページの一覧から選択された複数のページを示すページ選択情報と、前記選択された複数のページを前記携帯端末の画面で同時に表示させる際の前記選択された複数のページの配置パターンを示す配置選択情報であって前記携帯端末で配置パターンの一覧から選択された配置パターンを示す配置選択情報とを含むページ結合要求を、前記携帯端末から受信する受信手段と、
前記受信手段によって前記携帯端末から受信された前記ページ結合要求の前記ページ選択情報に基づいて、前記選択された複数のページを取得するページ取得手段と、
前記携帯端末で表示可能な表示画像を生成する画像生成手段であって、前記受信手段によって前記携帯端末から前記ページ結合要求を受信した場合、前記ページ結合要求の前記配置選択情報で示された配置パターンに基づいて、前記ページ取得手段によって取得された前記複数のページを結合して１画面の表示画像を生成する画像生成手段と、
前記画像生成手段によって生成された前記１画面の表示画像を前記携帯端末に送信する送信手段と、
を備え、
前記ページ結合要求の配置選択情報は、前記携帯端末で選択された前記複数のページを前記携帯端末の画面中でページ間の重なり有りで表示させるか否かを示す情報であって前記携帯端末で選択された結果を示す情報を含み、
前記画像生成手段は、前記複数のページを重なり有りで表示させるか否かを示す情報に基づいて、前記携帯端末で重なり有りが選択されていた場合には前記複数のページのページ間を重ねて前記１画面の表示画像を生成することを特徴とする画像配信サーバ。
【請求項２】
前記ページ結合要求の配置選択情報は、前記携帯端末で選択された前記複数のページを前記携帯端末の画面中でページ間の重なり有りで表示する場合における前記携帯端末の画面中の前後の重なり順序を示す情報であって前記携帯端末で指定された重なり順序を示す情報を含み、
前記画像生成手段は、前記配置選択情報中の重なり順序を示す情報に基づいて、前記携帯端末で指定された重なり順序で前記複数のページを前後に重ねて前記１画面の表示画像を生成することを特徴とする請求項１に記載の画像配信サーバ。
【請求項３】
前記ページ結合要求の配置選択情報は、前記携帯端末で選択された前記複数のページを前記携帯端末の画面中でページ間の重なり有りで表示する場合における前記複数のページのうちで少なくとも一方のページの重なり部分の位置を示す情報であって前記携帯端末で指定された位置を示す情報を含み、
前記画像生成手段は、前記配置選択情報中の重なり部分の位置を示す情報に基づいて、前記携帯端末で指定された位置で前記複数のページを前後に重ねて前記１画面の表示画像を生成することを特徴とする請求項１又は２に記載の画像配信サーバ。
【請求項４】
前記ページ結合要求の配置選択情報は、前記携帯端末で選択された前記複数のページを前記携帯端末の画面中でページ間の重なり有りで表示する場合における前記携帯端末の画面中の重なり部分の割合を示す情報であって前記携帯端末で指定された割合を示す情報を含み、
前記画像生成手段は、前記重なり部分の割合を示す情報に基づいて、前記携帯端末で指定された割合で前記複数のページを前後に重ねて前記１画面の表示画像を生成することを特徴とする請求項１から３のうちいずれか１項に記載の画像配信サーバ。
【請求項５】
前記ページ結合要求の配置選択情報は、前記携帯端末で選択された前記複数のページを前記携帯端末の画面中でページ間の重なり有りで表示する場合における前記携帯端末の画面中で前記複数のページの重なり部分を透過して表示するか否かを示す情報であって前記携帯端末で選択された結果を示す情報を含み、
前記画像生成手段は、前記重なり部分を透過して表示するか否かを示す情報に基づいて、前記携帯端末で透過して表示することが選択されていた場合には前記複数のページのうちで一方のページの重なり部分を他方のページに透過させて前記１画面の表示画像を生成することを特徴とする請求項１から４のうちいずれか１項に記載の画像配信サーバ。
【請求項６】
前記ページ結合要求の配置選択情報は、前記携帯端末で選択された前記複数のページ間の重なり部分を透過して表示する場合における前記重なり部分の透過の程度を示す透過度情報であって前記携帯端末で指定された透過の程度を示す透過度情報を含み、
前記画像生成手段は、前記透過度情報で指定された透過の程度に従って前記複数のページのうちで一方のページの重なり部分を他方のページに透過させることを特徴とする請求項５に記載の画像配信サーバ。
【請求項７】
前記画像生成手段は、前記携帯端末で選択された前記複数のページ間の余白部分を検出して、検出された前記複数のページ間の余白部分を切除し、前記１画面の表示画像を生成することを特徴とする請求項１から６のうちいずれか１項に記載の画像配信サーバ。
【請求項８】
携帯端末の画面で同時に表示させる複数のページを示すページ選択情報であって前記携帯端末でページの一覧から選択された複数のページを示すページ選択情報と、前記選択された複数のページを前記携帯端末の画面で同時に表示させる際の前記選択された複数のページの配置パターンを示す配置選択情報であって前記携帯端末で配置パターンの一覧から選択された配置パターンを示す配置選択情報とを含むページ結合要求を、前記携帯端末から受信する受信手段と、
前記受信手段によって前記携帯端末から受信された前記ページ結合要求の前記ページ選択情報に基づいて、前記選択された複数のページを取得するページ取得手段と、
前記携帯端末で表示可能な表示画像を生成する画像生成手段であって、前記受信手段によって前記携帯端末から前記ページ結合要求を受信した場合、前記ページ結合要求の前記配置選択情報で示された配置パターンに基づいて、前記ページ取得手段によって取得された前記複数のページを結合して１画面の表示画像を生成する画像生成手段と、
前記画像生成手段によって生成された前記１画面の表示画像を前記携帯端末に送信する送信手段と、
を備え、
前記画像生成手段は、前記受信手段によって前記携帯端末から前記ページ結合要求を受信した場合、前記携帯端末で選択された前記複数のページの全体のうちで前記複数のページ間の結合領域を含む部分画像を生成し、前記受信手段によって前記携帯端末から前記複数のページの全体のうちで前記結合領域とは異なる領域の部分画像の要求を受信した場合、前記携帯端末から要求された領域の部分画像を生成することを特徴とする画像配信サーバ。
【請求項９】
前記画像生成手段は、前記受信手段によって前記携帯端末から前記ページ結合要求を受信した場合、前記携帯端末で選択された前記複数のページの全体のうちで前記複数のページ間の結合領域を含む部分画像を生成し、前記受信手段によって前記携帯端末から前記複数のページの全体のうちで前記結合領域とは異なる領域の部分画像の要求を受信した場合、前記携帯端末から要求された領域の部分画像を生成することを特徴とする請求項１から７のうちいずれか１項に記載の画像配信サーバ。
【請求項１０】
前記請求項１から９のうちいずれか１項に記載の画像配信サーバと、前記携帯端末とを備えたことを特徴とする画像配信システム。
【請求項１１】
携帯端末の画面で同時に表示させる複数のページを示すページ選択情報であって前記携帯端末でページの一覧から選択された複数のページを示すページ選択情報と、前記選択された複数のページを前記携帯端末の画面で同時に表示させる際の前記選択された複数のページの配置パターンを示す配置選択情報であって前記携帯端末で配置パターンの一覧から選択された配置パターンを示す配置選択情報とを含むページ結合要求を、前記携帯端末から受信する要求受信ステップと、
前記携帯端末から受信された前記ページ結合要求の前記ページ選択情報に基づいて、前記選択された複数のページを取得するページ取得ステップと、
前記携帯端末で表示可能な表示画像を生成する画像生成ステップであって、前記携帯端末から前記ページ結合要求を受信した場合、前記ページ結合要求の前記配置選択情報で示された配置パターンに基づいて、前記ページ取得ステップにて取得された前記複数のページを結合して１画面の表示画像を生成する画像生成ステップと、
生成された前記１画面の表示画像を前記携帯端末に送信する送信ステップと、
を備え、
前記ページ結合要求の配置選択情報は、前記携帯端末で選択された前記複数のページを前記携帯端末の画面中でページ間の重なり有りで表示させるか否かを示す情報であって前記携帯端末で選択された結果を示す情報を含み、
前記画像生成ステップでは、前記複数のページを重なり有りで表示させるか否かを示す情報に基づいて、前記携帯端末で重なり有りが選択されていた場合には前記複数のページのページ間を重ねて前記１画面の表示画像を生成することを特徴とする画像配信方法。
【請求項１２】
前記ページ結合要求の配置選択情報は、前記携帯端末で選択された前記複数のページを前記携帯端末の画面中でページ間の重なり有りで表示する場合における前記携帯端末の画面中の前後の重なり順序を示す情報であって前記携帯端末で指定された重なり順序を示す情報を含み、
前記画像生成ステップでは、前記配置選択情報中の重なり順序を示す情報に基づいて、前記携帯端末で指定された重なり順序で前記複数のページを前後に重ねて前記１画面の表示画像を生成することを特徴とする請求項１１に記載の画像配信方法。
【請求項１３】
前記ページ結合要求の配置選択情報は、前記携帯端末で選択された前記複数のページを前記携帯端末の画面中でページ間の重なり有りで表示する場合における前記複数のページのうちで少なくとも一方のページの重なり部分の位置を示す情報であって前記携帯端末で指定された位置を示す情報を含み、
前記画像生成ステップでは、前記配置選択情報中の重なり部分の位置を示す情報に基づいて、前記携帯端末で指定された位置で前記複数のページを前後に重ねて前記１画面の表示画像を生成することを特徴とする請求項１１又は１２に記載の画像配信方法。
【請求項１４】
前記ページ結合要求の配置選択情報は、前記携帯端末で選択された前記複数のページを前記携帯端末の画面中でページ間の重なり有りで表示する場合における前記携帯端末の画面中の重なり部分の割合を示す情報であって前記携帯端末で指定された割合を示す情報を含み、
前記画像生成ステップでは、前記重なり部分の割合を示す情報に基づいて、前記携帯端末で指定された割合で前記複数のページを前後に重ねて前記１画面の表示画像を生成することを特徴とする請求項１１から１３のうちいずれか１項に記載の画像配信方法。
【請求項１５】
前記ページ結合要求の配置選択情報は、前記携帯端末で選択された前記複数のページを前記携帯端末の画面中でページ間の重なり有りで表示する場合における前記携帯端末の画面中で前記複数のページの重なり部分を透過して表示するか否かを示す情報であって前記携帯端末で選択された結果を示す情報を含み、
前記画像生成ステップでは、前記重なり部分を透過して表示するか否かを示す情報に基づいて、前記携帯端末で透過して表示することが選択されていた場合には前記複数のページのうちで一方のページの重なり部分を他方のページに透過させて前記１画面の表示画像を生成することを特徴とする請求項１１から１４のうちいずれか１項に記載の画像配信方法。
【請求項１６】
前記ページ結合要求の配置選択情報は、前記携帯端末で選択された前記複数のページ間の重なり部分を透過して表示する場合における前記重なり部分の透過の程度を示す透過度情報であって前記携帯端末で指定された透過の程度を示す透過度情報を含み、
前記画像生成ステップでは、前記透過度情報で指定された透過の程度に従って前記複数のページのうちで一方のページの重なり部分を他方のページに透過させることを特徴とする請求項１５に記載の画像配信方法。
【請求項１７】
前記画像生成ステップでは、前記携帯端末で選択された前記複数のページ間の余白部分を検出して、検出された前記複数のページ間の余白部分を切除し、前記１画面の表示画像を生成することを特徴とする請求項１１から１６のうちいずれか１項に記載の画像配信方法。
【請求項１８】
携帯端末の画面で同時に表示させる複数のページを示すページ選択情報であって前記携帯端末でページの一覧から選択された複数のページを示すページ選択情報と、前記選択された複数のページを前記携帯端末の画面で同時に表示させる際の前記選択された複数のページの配置パターンを示す配置選択情報であって前記携帯端末で配置パターンの一覧から選択された配置パターンを示す配置選択情報とを含むページ結合要求を、前記携帯端末から受信する要求受信ステップと、
前記携帯端末から受信された前記ページ結合要求の前記ページ選択情報に基づいて、前記選択された複数のページを取得するページ取得ステップと、
前記携帯端末で表示可能な表示画像を生成する画像生成ステップであって、前記携帯端末から前記ページ結合要求を受信した場合、前記ページ結合要求の前記配置選択情報で示された配置パターンに基づいて、前記ページ取得ステップにて取得された前記複数のページを結合して１画面の表示画像を生成する画像生成ステップと、
生成された前記１画面の表示画像を前記携帯端末に送信する送信ステップと、
を備え、
前記画像生成ステップでは、前記携帯端末から前記ページ結合要求を受信した場合、前記携帯端末で選択された前記複数のページの全体のうちで前記複数のページ間の結合領域を含む部分画像を生成し、前記携帯端末から前記複数のページの全体のうちで前記結合領域とは異なる領域の部分画像の要求を受信した場合、前記携帯端末から要求された領域の部分画像を生成することを特徴とする画像配信方法。
【請求項１９】
前記画像生成ステップでは、前記携帯端末から前記ページ結合要求を受信した場合、前記携帯端末で選択された前記複数のページの全体のうちで前記複数のページ間の結合領域を含む部分画像を生成し、前記携帯端末から前記複数のページの全体のうちで前記結合領域とは異なる領域の部分画像の要求を受信した場合、前記携帯端末から要求された領域の部分画像を生成することを特徴とする請求項１１から１７のうちいずれか１項に記載の画像配信方法。
【請求項２０】
請求項１１から１９のうちいずれか１項に記載の方法をコンピュータ装置に実行させることを特徴とするプログラム。
【発明の詳細な説明】
【技術分野】
【０００１】
本発明は、携帯端末において複数のページの境界を越えた閲覧を容易に行うことができ、携帯端末においてページ間の比較対照を容易に行うことができる画像配信サーバ、画像配信システム、画像配信方法及びプログラムに関する。
【背景技術】
【０００２】
オフィスにおいては、文書（ワードプロセッサ文書、表計算文書、プレゼンテーション文書等）を添付ファイルとして電子メールに添付して送信し、その電子メールを受信したパーソナルコンピュータ（ＰＣ）で添付ファイルを閲覧することや、社内で蓄積された文書をブラウザ等により閲覧することは、一般的である。しかしながら、情報漏洩等の観点から、これらを社外で行う事を禁じている企業が多い。情報セキュリティを維持しつつ、かつ容易に社外から社内文書にアクセスできれば、業務効率向上への寄与は大きいと考えられる。特に、社員が普段持ち歩く携帯電話等の携帯端末から、それらが可能ならば非常に有意義であろう。
【０００３】
携帯端末は小型、軽量という利点を持つが、この特性は、紛失及びそこからの情報漏洩のリスクを高める。この問題への対処として、携帯端末をシンクライアントとして用いる事が考えられる。例えば、携帯端末内に文書を蓄積せず、サーバ上で文書を画像化して携帯端末に配信し、表示要求の度に携帯端末上で表示すればよい。この手法は、既に一般化しているインターネットアクセスと画像表示の能力さえあれば、元の文書の形式によらず、すべての携帯端末で利用できる利点がある。更に、ＰＣでは危惧される危険なソフト（コンピュータ・ウイルスその他の悪意のあるソフト）が、携帯端末上では限定的であるという長所もある。
【０００４】
文書の画像化は、文書を印刷した際の紙面各１ページのイメージをそのままひとつの表示画像とする方法が典型的である。この場合、紙面のページと画像との間に１：１の対応関係が存在し、各画像が個別に携帯端末で表示される。文書全体像の把握を目的として、縮小画像を一覧表示する機能（サムネイル表示）も存在するが、各縮小画像は、ほとんど可読ではなく、拡大表示されるべき単一ページを選択することのみが可能である。それぞれの単一画像に対しては、拡大／縮小及び表示領域の上下左右方向への移動が可能である。
【０００５】
また、特許文献１には、表示画面のサイズより広い領域を有する文書画像データを効率良くかつ読みやすく画面表示する発明が開示されている。
【先行技術文献】
【特許文献】
【０００６】
【特許文献１】特開２００９−５３９２８号公報
【発明の概要】
【発明が解決しようとする課題】
【０００７】
多くのオフィス文書は紙（Ａ４サイズ程度）への出力を想定して作成されている。紙に印刷された二つのページであれば、例えば机上に並べて置くことにより、容易に比較対照することができる。即ち、紙面のサイズが十分に大きいため、印刷された複数のページを照らし合わせるようにして、容易に観察することができる。ところが、小さな画面しか持たない携帯端末の場合、各ページを個別で携帯端末に表示させる従来手法では、ひとつのページ上に複数のページが同時表示されないため、ページを切り替える必要があり、複数のページ間の内容を比較対象することは困難である。
【０００８】
また、表計算文書において、ひとつの表が複数のページに渡って印刷される場合がある。この場合も、関連する隣接行／隣接カラムがひとつのページ上に同時表示されないため、比較対照が難しい。
【０００９】
尚、多くのＰＣ用表計算ソフトでは、ＰＣ画面を複数領域に分割して、各分割領域に表の異なる部分を表示する機能を持っている。しかしながら、同様の機能を小さな画面しか持たない携帯端末上で実施すると、表示手段分の移動が頻繁に発生し、そのたびに各分割領域で位置合わせが必要となるという別の課題もある。例えば、ある領域の表示手段分を右に移動した場合、別の領域も同程度右に移動する操作が必要となり、煩雑である。
【００１０】
特許文献１は、画像を分割して読み順に表示するものであり、文書中の離れた部分を比較対照することは考慮されていない。
【００１１】
本発明はこのような事情に鑑みてなされたもので、携帯端末において複数のページの境界を越えた閲覧を容易に行うことができ、携帯端末においてページ間の比較対照を容易に行うことができる画像配信サーバ、画像配信システム、画像配信方法及びプログラムを提供することを目的とする。
【課題を解決するための手段】
【００１２】
前記目的を達成するために、本発明は、携帯端末の画面で同時に表示させる複数のページを示すページ選択情報であって前記携帯端末でページの一覧から選択された複数のページを示すページ選択情報と、前記選択された複数のページを前記携帯端末の画面で同時に表示させる際の前記選択された複数のページの配置パターンを示す配置選択情報であって前記携帯端末で配置パターンの一覧から選択された配置パターンを示す配置選択情報とを含むページ結合要求を、前記携帯端末から受信する受信手段と、前記受信手段によって前記携帯端末から受信された前記ページ結合要求の前記ページ選択情報に基づいて、前記選択された複数のページを取得するページ取得手段と、前記携帯端末で表示可能な表示画像を生成する画像生成手段であって、前記受信手段によって前記携帯端末から前記ページ結合要求を受信した場合、前記ページ結合要求の前記配置選択情報で示された配置パターンに基づいて、前記ページ取得手段によって取得された前記複数のページを結合して１画面の表示画像を生成する画像生成手段と、前記画像生成手段によって生成された前記１画面の表示画像を前記携帯端末に送信する送信手段と、を備えたことを特徴とする画像配信サーバを提供する。
【００１３】
この発明によれば、携帯端末で複数のページ及びその複数のページの配置パターンが選択されて、選択された複数のページを示すページ選択情報及び選択された配置パターンを示す配置選択情報を含むページ結合要求が携帯端末から送信されると、受信されたページ結合要求のページ選択情報に基づいて、携帯端末で選択された複数のページが取得されると共に、受信されたページ結合要求の配置選択情報に基づいて、取得された複数のページが結合されて１画面の表示画像が生成され、その１画面の表示画像が携帯端末に送信されるので、携帯端末では、複数のページの境界を越えた閲覧を１画面で行うことができると共に、ページ間の比較対照を１画面で行うことができる。即ち、携帯端末において複数のページとその複数のページの配置パターンを選択するだけで、携帯端末において複数のページの境界を越えた閲覧を容易に行うことができると共に、携帯端末においてページ間の比較対照を容易に行うことができる。
【００１４】
一実施形態では、前記ページ結合要求の配置選択情報は、前記携帯端末で選択された前記複数のページを前記携帯端末の画面中でページ間の重なり有りで表示させるか否かを示す情報であって、前記携帯端末で選択された結果を示す情報を含み、前記画像生成手段は、前記複数のページを重なり有りで表示させるか否かを示す情報に基づいて、前記携帯端末で重なり有りが選択されていた場合には前記複数のページのページ間を重ねて前記１画面の表示画像を生成する。即ち、携帯端末で重なり有りが選択された場合、複数のページのページ間を重ねて１画面の表示画像が生成され、その１画面の表示画像が携帯端末に送信されるので、複数のページの境界を越えた閲覧を１画面で容易に行うことができると共に、ページ間の比較対照を１画面で更に容易に行うことができる。もしもＰＣで行われているように、携帯端末の画面上で複数の分割領域のそれぞれに各ページの画像を表示した場合には、各分割領域のそれぞれで移動操作が必要となるが、本実施形態では、複数のページがオーバーラップ（重なり有り）で携帯端末の１画面上に表示されるので、煩雑な操作が不要となる。
【００１５】
一実施形態では、前記ページ結合要求の配置選択情報は、前記携帯端末で選択された前記複数のページを前記携帯端末の画面中でページ間の重なり有りで表示する場合における前記携帯端末の画面中の前後の重なり順序を示す情報であって、前記携帯端末で指定された重なり順序を示す情報を含み、前記画像生成手段は、前記配置選択情報中の重なり順序を示す情報に基づいて、前記携帯端末で指定された重なり順序で前記複数のページを前後に重ねて前記１画面の表示画像を生成する。
【００１６】
一実施形態では、前記ページ結合要求の配置選択情報は、前記携帯端末で選択された前記複数のページを前記携帯端末の画面中でページ間の重なり有りで表示する場合における前記複数のページのうちで少なくとも一方のページの重なり部分の位置を示す情報であって、前記携帯端末で指定された位置を示す情報を含み、前記画像生成手段は、前記配置選択情報中の重なり部分の位置を示す情報に基づいて、前記携帯端末で指定された位置で前記複数のページを前後に重ねて前記１画面の表示画像を生成する。
【００１７】
一実施形態では、前記ページ結合要求の配置選択情報は、前記携帯端末で選択された前記複数のページを前記携帯端末の画面中でページ間の重なり有りで表示する場合における前記携帯端末の画面中の重なり部分の割合を示す情報であって、前記携帯端末で指定された割合を示す情報を含み、前記画像生成手段は、前記重なり部分の割合を示す情報に基づいて、前記携帯端末で指定された割合で前記複数のページを前後に重ねて前記１画面の表示画像を生成する。
【００１８】
一実施形態では、前記ページ結合要求の配置選択情報は、前記携帯端末で選択された前記複数のページを前記携帯端末の画面中でページ間の重なり有りで表示する場合における前記携帯端末の画面中で前記複数のページの重なり部分を透過して表示するか否かを示す情報であって、前記携帯端末で選択された結果を示す情報を含み、前記画像生成手段は、前記重なり部分を透過して表示するか否かを示す情報に基づいて、前記携帯端末で透過して表示することが選択されていた場合には前記複数のページのうちで一方のページの重なり部分を他方のページに透過させて前記１画面の表示画像を生成する。
【００１９】
一実施形態では、前記ページ結合要求の配置選択情報は、前記携帯端末で選択された前記複数のページ間の重なり部分を透過して表示する場合における前記重なり部分の透過の程度を示す情報であって、前記携帯端末で指定された透過の程度を示す情報を含み、前記画像生成手段は、前記透過度情報で指定された透過の程度に従って前記複数のページのうちで一方のページの重なり部分を他方のページに透過させる。
【００２０】
一実施形態では、前記画像生成手段は、前記携帯端末で選択された前記複数のページ間の余白部分を検出して、検出された前記複数のページ間の余白部分を切除し、前記１画面の表示画像を生成する。
【００２１】
一実施形態では、前記画像生成手段は、前記受信手段によって前記携帯端末から前記ページ結合要求を受信した場合、前記携帯端末で選択された前記複数のページの全体のうちで前記複数のページ間の結合領域を含む部分画像を生成し、前記受信手段によって前記携帯端末から前記複数のページの全体のうちで前記結合領域とは異なる領域の部分画像の要求を受信した場合、前記携帯端末から要求された領域の部分画像を生成する。
【００２２】
また、本発明は、前記画像配信サーバと、前記携帯端末とを備えたことを特徴とする画像配信システムを提供する。
【００２３】
また、本発明は、携帯端末の画面で同時に表示させる複数のページを示すページ選択情報であって前記携帯端末でページの一覧から選択された複数のページを示すページ選択情報と、前記選択された複数のページを前記携帯端末の画面で同時に表示させる際の前記選択された複数のページの配置パターンを示す配置選択情報であって前記携帯端末で配置パターンの一覧から選択された配置パターンを示す配置選択情報とを含むページ結合要求を、前記携帯端末から受信する要求受信ステップと、前記携帯端末から受信された前記ページ結合要求の前記ページ選択情報に基づいて、前記選択された複数のページを取得するページ取得ステップと、前記携帯端末で表示可能な表示画像を生成する画像生成ステップであって、前記携帯端末から前記ページ結合要求を受信した場合、前記ページ結合要求の前記配置選択情報で示された配置パターンに基づいて、前記ページ取得ステップにて取得された前記複数のページを結合して１画面の表示画像を生成する画像生成ステップと、生成された前記１画面の表示画像を前記携帯端末に送信する送信ステップと、を備えたことを特徴とする画像配信方法を提供する。
【発明の効果】
【００２４】
本発明によれば、携帯端末において複数のページの境界を越えた閲覧を容易に行うことができ、携帯端末においてページ間の比較対照を容易に行うことができる。
【図面の簡単な説明】
【００２５】
【図１】本発明に係る画像配信サーバを含む画像配信システムの一例の全体構成を示すブロック図
【図２】携帯端末で選択された複数のページをページ間の重なり無しで表示させる場合におけるページ及び配置パターンの選択の説明に用いる説明図
【図３】携帯端末で選択された複数のページをページ間の重なり無しで表示させる場合におけるページ結合の説明に用いる説明図
【図４】携帯端末で選択された複数のページをページ間の重なり有りで表示させる場合におけるページ及び配置パターンの選択の説明に用いる説明図
【図５】携帯端末で選択された複数のページをページ間の重なり有りで表示させる場合におけるページ結合の説明に用いる説明図
【図６】画像配信処理の一例の流れを示すフローチャート
【発明を実施するための形態】
【００２６】
以下、添付図面に従って、本発明の実施形態について、詳細に説明する。
【００２７】
図１は、本発明に係る画像配信サーバを含む画像配信システムの一例の全体構成を示すブロック図である。
【００２８】
携帯端末１０は、画像配信サーバ２０（以下単に「サーバ」という）と通信する通信手段１１と、ユーザからの指示入力を受け付ける指示入力手段１２と、画像を表示可能な表示手段１３と、携帯端末１０の各部を制御する制御手段１９とを含んで構成されている。
【００２９】
携帯端末１０の通信手段１１は、ページ一覧、配置パターン一覧、表示画像等をサーバ２０から受信する受信手段１１ａと、ページ選択情報及び配置選択情報を含むページ結合要求等をサーバ２０に送信する送信手段１１ｂとを有する。携帯端末１０の指示入力手段１２は、キースイッチ、タッチセンサ等の入力デバイスによって構成されている。携帯端末１０の表示手段１３は、液晶表示デバイス等の表示デバイスによって構成されている。携帯端末１０の制御手段１９は、中央演算処理ユニット（ＣＰＵ）によって構成されている。
【００３０】
サーバ２０は、携帯端末１０と通信する通信手段２１と、閲覧文書を構成しているページを取得するページ取得手段２２と、ページ取得手段２２で取得された一又は複数のページから携帯端末１０の表示手段１３の画面中に表示可能な１画面ごとの表示画像を生成する画像生成手段２３と、生成された表示画像等を一時的に記憶する記憶手段２４と、サーバ２０の各部を制御する制御手段２９とを含んで構成されている。
【００３１】
サーバ２０の通信手段２１は、ページ一覧、配置パターン一覧、表示画像等を送信する送信手段２１ａと、ページ選択情報及び配置選択情報を含むページ結合要求等を携帯端末１０から受信する受信手段２１ｂとを有する。通信方式は特に限定されない。サーバ２０のページ取得手段２２は、一又は複数のページからなる閲覧文書を記憶した文書データベース３０（ＤＢ）からページを読み出し可能なインタフェースデバイスによって構成されている。
【００３２】
閲覧文書は、携帯端末１０を介してユーザに閲覧させる文書である。例えば、ワードプロセッサにより作成した文書、表計算ソフトウェアにより作成した表計算文書、プレゼンテーション文書等のいわゆるオフィス文書が挙げられる。閲覧文書は、１ページ又は複数ページのデジタルデータからなる。閲覧文書の１ページは、紙（例えばＡ４サイズの用紙）の１枚に相当するデジタルデータからなる。
【００３３】
ページ一覧は、閲覧文書を構成している全てのページの一覧を示す情報である。
【００３４】
配置パターン一覧は、携帯端末１０でページ一覧から選択された複数のページを携帯端末１０の表示手段１３で１画面の表示画像として同時に表示させる際に携帯端末１０で表示される複数のページの画面上における配置パターンであって、携帯端末１０で選択可能な配置パターンを一覧で示す情報である。
【００３５】
ページ結合要求のページ選択情報は、携帯端末１０の表示手段１３の画面で１画面の表示画像として同時に表示させる複数のページであって、携帯端末１０の指示入力手段１２でページ一覧から選択された複数のページを示す。
【００３６】
ページ結合要求の配置選択情報は、携帯端末１０で選択された複数のページを携帯端末１０の画面で１画面の表示画像として同時に表示させる際の選択された複数のページの画面上における配置パターンであって、携帯端末１０で配置パターン一覧から選択された配置パターンを示す。
【００３７】
サーバ２０のページ取得手段２２は、通信手段２１によって携帯端末１０から受信されたページ結合要求のページ選択情報に基づいて、携帯端末１０で選択された複数のページを文書データベース３０から取得する。
【００３８】
サーバ２０の画像生成手段２３は、通信手段２１によって携帯端末１０からページ結合要求を受信した場合、そのページ結合要求の配置選択情報で示された配置パターンに基づいて、ページ取得手段２２によって取得された複数のページを結合して１画面の表示画像を生成する。画像生成手段２３によって生成された１画面の表示画像は、サーバ２０の記憶手段２４に一時的に記憶された後、通信手段２１によって携帯端末１０に送信される。
【００３９】
尚、サーバ２０の画像生成手段２３は、携帯端末１０からページ結合要求がなく、携帯端末から１ページの画像を要求された場合には、１ページ分の表示画像を生成する。生成された１ページかつ１画面の表示画像は、サーバ２０の記憶手段２４に一時的に記憶された後、通信手段２１によって携帯端末１０に送信される。
【００４０】
図２は、携帯端末１０で選択された複数のページを携帯端末１０の表示手段１３の画面中でページ間の重なり無しで表示させる場合におけるページ及び配置パターンの選択の説明に用いる説明図である。
【００４１】
ページの選択では、図２の左側に示すように、携帯端末１０の表示手段１３に、閲覧文書を構成している全部又は一部の複数のページ（Ｐ１〜Ｐ９）をそれぞれを示す複数のサムネイル画像５０（縮小画像）を、ページの一覧として、表示させる。ユーザは、携帯端末１０の指示入力手段１２によって、ページの一覧から、任意の複数のページを選択する。即ち、複数のサムネイル画像から閲覧したいページ（例えばＰ５及びＰ６）のサムネイル画像を選択する。同一ページを複数枚選択すること（例えばＰ５を２枚選択）が可能なインタフェースとしてもよい。尚、本明細書において、「複数のページ」とは、同一ページが複数枚選択された場合を含む。
【００４２】
配置パターンの選択では、図２の右側に示すように、携帯端末１０の表示手段１３に、携帯端末１０で選択された複数（本例では２枚又は４枚）のページの配置パターンであって、携帯端末１０の表示手段１３の画面中に配置可能な複数の配置パターンを、配置パターン一覧として、表示させる。ユーザは、携帯端末１０の指示入力手段１２によって、配置パターンの一覧から、任意の配置パターンをひとつを選択する。
【００４３】
本例では、ａパターン（縦に２ページを結合）、ｂパターン（横に２ページを結合）、ｃ−１パターン（横配列優先で縦及び横に２×２ページを結合）、及びｃ−２パターン（縦配列優先で縦及び横に２×２ページを結合）のうちから、ひとつの配置パターンが選択される。
【００４４】
尚、縦方向及び横方向に、２ページより多く配置することも可能である。１画面中に配置可能な縦横の最大ページ数は、携帯端末１０の表示手段１３の画面サイズや表示の解像度、ページのサイズ及び画素の解像度、及び拡大／縮小率による。
【００４５】
図３は、携帯端末１０で選択された複数のページを携帯端末１０の表示手段１３の画面中でページ間の重なり有りで表示させる場合におけるページ結合の説明に用いる説明図である。
【００４６】
本例では、携帯端末１０で選択された複数のページＰ５，Ｐ６間の余白部分を切除すると共に、ページＰ５、Ｐ６を重なり無しで結合させて１画面の表示画像を生成している。つまり、サーバ２０の画像生成手段２３は、携帯端末１０で選択された複数のページ間の余白部分を検出して、検出された複数のページ間の余白部分を切除し、１画面の表示画像を生成する。ここで、余白部分の検出は、処理時間短縮の観点からは、ページとページとの間の境界領域のみで行なうことが、好ましい。
【００４７】
図４は、携帯端末１０で選択された複数のページを携帯端末１０の表示手段１３の画面中でページ間の重なり有りで表示させる場合におけるページ及び配置パターンの選択の説明に用いる説明図である。
【００４８】
ページの選択では、図４の左側に示すように、携帯端末１０の表示手段１３に、複数のサムネイル画像５０（縮小画像）からなるページの一覧を表示させる。尚、図４の左側は、図２の左側と同様であり、既に説明したので、ここでは詳細な説明を省略する。
【００４９】
配置パターンの選択では、図４の右側に示すように、携帯端末１０の表示手段１３に、携帯端末１０で選択された複数（本例では２枚）のページの配置パターンであって、携帯端末１０の表示手段１３の画面中に配置可能な複数の配置パターンを、配置パターン一覧として、表示させる。ユーザは、携帯端末１０の指示入力手段１２によって、配置パターンの一覧から、任意の配置パターンをひとつ選択する。
【００５０】
本例では、ａ−１パターン（縦に２ページを結合、かつ上側ページを手前に配置）、ａ−２パターン（縦に２ページを結合、かつ下側ページを手前に配置）、ｂ−１パターン（横に２ページを結合、かつ左側ページを手前に配置）、ｂ−２パターン（横に２ページを結合、かつ右側ページを手前に配置）、ｃ−１パターン（斜めに２ページを結合、かつ左上側ページを手前に配置）、及びｃ−２パターン（斜めに２ページを結合、かつ右下側ページを手前に配置）のうちから、ひとつの配置パターンが選択される。
【００５１】
尚、縦方向及び横方向、又は斜め方向に、２ページより多く配置することも可能である。１画面中に配置可能な縦横の最大ページ数は、携帯端末１０の表示手段１３の画面サイズや表示の解像度、ページのサイズ及び画素の解像度、及び拡大／縮小率による。
【００５２】
図５は、携帯端末１０で選択された複数のページを携帯端末１０の表示手段１３の画面中でページ間の重なり有りで表示させる場合におけるページ結合の説明に用いる説明図である。
【００５３】
本例では、携帯端末１０で選択された複数のページＰ５，Ｐ６間で、余白部分を切除すると共に、ページＰ５、Ｐ６の一部を重ならせて結合して合成画像を生成している。図５では余白部分を除くページ全体の５０％を重ならせている。
【００５４】
尚、図２の右側には、重なり無しの配置パターンのみの一覧を表示した場合を示し、図４の右側には、重なり有りの配置パターンのみの一覧を表示した場合を示した。このような場合、例えば、携帯端末１０の指示入力手段１２によって、まず、重なり有／無の選択入力を受け付け、次に、その選択の結果に応じて、図２又は図４に示した一覧を携帯端末１０の表示手段１３に表示して、携帯端末１０の指示入力手段１２によって、配置パターンの選択入力を受け付ける。
【００５５】
ただし、このような場合に本発明は限定されず、携帯端末１０の表示手段１３に、重なり無しの配置パターンと、重なり有りの配置パターンとを、並列に表示して、携帯端末１０の指示入力手段１２によって、重なり無しの配置パターン又は重なり有りの配置パターンの選択入力を受け付けるようにしてもよい。
【００５６】
前述の図２及び図４は、本発明におけるページの選択及び配置の選択の一例を示したに過ぎず、本発明における「配置パターン」の選択は、これらの例には限定されない。携帯端末１０における配置の選択の各種具体例を以下に列挙して整理しておく。
【００５７】
第１に、図２の右側に示したようにページ間の重なり無し（平面状配置）とするか、図４の右側に示したようにページ間の重なり有り（前後の奧行きを持つ配置）とするかの選択指示を、携帯端末１０の指示入力手段１２によって受け付ける態様がある。この場合、携帯端末１０からサーバ２０に送信されるページ結合要求の配置選択情報は、携帯端末１０で選択された複数のページを携帯端末１０の画面中でページ間の重なり有りで表示させるか否かを示す情報（重なり有無情報）であって、携帯端末１０で選択された結果を示す情報を含む。尚、配置パターンの識別情報によって重なり有無を判別できる場合には、その識別情報を重なり有無情報とすることができる。サーバ２０の画像生成手段２３は、重なり有無情報に基づいて、携帯端末１０で重なり有りが選択されていた場合には複数のページのページ間を重ねて、１画面の表示画像を生成する。
【００５８】
第２に、図４の右側に示したように、携帯端末１０の画面中における複数のページの前後の重なり順序の指定を、携帯端末１０の指示入力手段１２によって受け付ける態様がある。この場合、携帯端末１０からサーバ２０に送信されるページ結合要求の配置選択情報は、携帯端末１０の画面中の前後の重なり順序を示す情報（重なり順序情報）であって、携帯端末１０で指定された重なり順序を示す情報を含む。尚、配置パターンの識別情報によって重なり順序を判別できる場合には、その識別情報を重なり順序情報とすることができる。サーバ２０の画像生成手段２３は、重なり順序情報に基づいて、携帯端末１０で指定された重なり順序で複数のページを前後に重ねて、１画面の表示画像を生成する。
【００５９】
第３に、複数のページのうちで少なくとも一方のページの重なり部分の位置の指定を、携帯端末１０の指示入力手段１２によって受け付ける態様がある。この場合、携帯端末１０からサーバ２０に送信されるページ結合要求の配置選択情報は、選択された複数のページのうちで少なくとも一方のページの重なり部分の位置（重なり位置）を示す情報（重なり位置情報）であって、携帯端末１０で指定された重なり位置を示す情報を含む。例えば、図４のａ−１及びａ−２パターンでは第１ページの「下」が重なり位置であり、図４のｂ−１及びｂ−２パターンでは第１ページの「右」が重なり位置である。尚、配置パターンの識別情報によって重なり位置を判別できる場合には、その識別情報を重なり位置情報とすることができる。サーバ２０の画像生成手段２３は、重なり位置情報に基づいて、携帯端末１０で指定された重なり位置で、複数のページを前後に重ねて１画面の表示画像を生成する。
【００６０】
第４に、携帯端末１０の画面中の重なり部分の割合の指定を、携帯端末１０の指示入力手段１２によって受け付ける態様がある。この場合、携帯端末１０からサーバ２０に送信されるページ結合要求の配置選択情報は、携帯端末１０の画面中の重なり部分の割合を示す情報（重なり割合情報）であって、携帯端末で指定された割合を示す情報を含む。例えば、余白部分を除くページ全体の１／４，１／２を選択させる。より細かい割合（％）を携帯端末１０で指定させるようにしてもよい。尚、配置パターンの識別情報によって重なり割合を判別できる場合には、その識別情報を重なり割合情報とすることができる。サーバ２０の画像生成手段２３は、重なり割合情報に基づいて、携帯端末１０で指定された重なり割合で、複数のページを前後に重ねて１画面の表示画像を生成する。
【００６１】
第５に、携帯端末１０の画面中で複数のページの重なり部分を透過して表示するか否かの選択を、携帯端末１０の指示入力手段１２によって受け付ける態様がある。この場合、携帯端末１０からサーバ２０に送信されるページ結合要求の配置選択情報は、携帯端末１０の画面中で複数のページの重なり部分を透過して表示するか否かを示す情報（透過有無情報）であって、携帯端末１０で選択された結果を示す情報を含む。尚、配置パターンの識別情報によって透過の有無を判別できる場合には、その識別情報を透過有無情報とすることができる。サーバ２０の画像生成手段２３は、透過有無情報に基づいて、携帯端末１０で透過して表示することが選択されていた場合には複数のページのうちで一方のページの重なり部分を他方のページに透過させて１画面の表示画像を生成する。
【００６２】
第６に、携帯端末１０で選択された複数のページ間の重なり部分を透過して表示する場合における重なり部分の透過の程度の指定を、携帯端末１０の指示入力手段１２によって受け付ける態様がある。この場合、携帯端末１０からサーバ２０に送信されるページ結合要求の配置選択情報は、重なり部分の透過の程度を示す情報（透過度情報）であって、携帯端末１０で指定された透過の程度を示す情報を含む。尚、配置パターンの識別情報によって透過度情報を判別できる場合には、その識別情報を透過度情報とすることができる。サーバ２０の画像生成手段２３は、透過度情報で指定された透過度情報に従って、複数のページのうちで一方のページの重なり部分を他方のページに透過させる。例えば、後ろ側ページ（一方のページ）が全て見える場合（透過割合＝１００％）から、後ろ側ページが全く見えない場合（透過割合＝０％）まで、任意の指定を受け付けるようにしてもよい。
【００６３】
尚、上記の第１〜第６の例に特に限定されず、他の指示入力を携帯端末１０で受け付けるようにしてもよい。
【００６４】
また、サーバ２０の画像生成手段２３は、携帯端末１０からページ結合要求を受信した場合、まず、携帯端末１０で選択された複数のページの全体画像のうちで複数のページ間の結合領域（重なり有りの場合には重なり部分）を含む部分画像を生成する。重なり無しの場合、例えば図３の右側における符号６０の領域を部分画像として全体画像から抽出する。重なり有りの場合、例えば図５の右側における符号６０の領域を部分画像として全体画像から抽出する。つまり、最初に、携帯端末１０の表示手段１３に、結合領域を中心とした表示画像を表示させることができる。結合当初、ユーザの主たる関心は、ページ間の境界付近（即ち結合領域）に存在すると想定されるため、その領域の部分画像を切り出し、縮小／拡大することが、好適である。そして、サーバ２０の画像生成手段２３は、携帯端末１０から複数のページの全体のうちで結合領域（重なり有りの場合には少なくとも重なり部分を含む）とは異なる領域の部分画像の要求を受信した場合、携帯端末１０から要求された領域の部分画像を生成する。つまり、携帯端末１０でに指示入力に応じて、携帯端末１０の表示手段１３に、結合領域から外れた領域を中心とした表示画像を表示させることができる。
【００６５】
図６は、図１の画像配信システムにおける画像配信処理の一例の流れを示すフローチャートである。サーバ２０側の処理は、サーバ２０の制御手段２９により、プログラムに従って実行される。携帯端末１０側の処理は、携帯端末１０の制御手段１９により、プログラムに従って実行される。各プログラムは、所定の記録媒体に記録して提供することができる。
【００６６】
尚、図６では、携帯端末１０からサーバ２０に対してログインや文書閲覧要求等が既に行われており、サーバ２０では携帯端末１０から要求された閲覧文書が特定されているものとする。また、既に携帯端末１０から１ページ単位のページ閲覧要求が行われ、更に１ページ単位の閲覧が行われていてもよい。
【００６７】
まず、サーバ２０の通信手段２１によって、携帯端末１０に対し、ページ一覧及び配置パターン一覧が送信される（ステップＳ２）。これらの一覧の送信は、携帯端末１０からの一覧送信要求に応じて行われてもよい。サーバ２０から送信されたページ一覧及び配置パターン一覧は、携帯端末１０の通信手段１１によって、受信される（ステップＳ４）。
【００６８】
次に、携帯端末１０の表示手段１３によって、ページ一覧を表示し、携帯端末１０の指示入力手段１２によって、ユーザから、合成すべきページの選択を受け付る（ステップＳ６）。
【００６９】
次に、携帯端末１０の表示手段１３によって、配置パターン一覧を表示し、携帯端末１０の指示入力手段１２によって、ユーザから、配置パターンの選択を受け付ける（ステップＳ８）。本例では、重なり無しの配置パターンと重なり有りの配置パターンとを含む配置パターン一覧が表示され、配置パターンの選択により重なり有無の選択も同時に行われるものとする。また、本例では、前述の重なり順序の指定、重なり位置の指定も、配置パターンの選択と同時に行われるものとする。重なり割合の指定、透過有無の指定、透過の程度の指定も、受け付けるようにしてよい。
【００７０】
尚、本例では、ページの選択を受け付けた後に、配置パターンの選択を受け付けているが、本発明はこのような場合に特に限定されず、配置パターンの選択を受け付けた後に、ページの選択を受け付けるようにしてもよい。
【００７１】
次に、携帯端末１０の通信手段１１によって、サーバ２０に対し、ページ選択情報及び配置選択情報を含むページ結合要求を送信する（ステップＳ１０）。そのページ要求は、サーバ２０の通信手段２１によって、受信される（ステップＳ１２）。配置選択情報には、重なり順序情報、重なり位置情報、重なり割合情報、透過有無情報、透過度情報等が含まれていてもよい。
【００７２】
次に、サーバ２０のページ取得手段２２によって、携帯端末１０から受信されたページ結合要求のページ選択情報に基づいて、携帯端末１０で選択された複数のページを、文書ＤＢ３０から取得する（ステップＳ１４）。
【００７３】
次に、サーバ２０の画像生成手段２３は、文書ＤＢ３０から取得された複数のページを、ページ結合要求の配置選択情報で示された配置パターンに基づいて結合し、合成画像（ページ結合画像）を生成する（ステップＳ１６）。
【００７４】
サーバ２０の画像生成手段２３は、配置選択情報中の重なり有無情報に基づいて、携帯端末１０で重なり有りが選択されていた場合には、複数のページのページ間を重ねて、１画面の表示画像を生成する。また、本例のサーバ２０の画像生成手段２３は、重なり有りの場合、配置選択情報中の重なり順序情報に基づいて、携帯端末１０で指定された重なり順序で複数のページを前後に重ねて、１画面の表示画像を生成する。また、本例のサーバ２０の画像生成手段２３は、重なり有りの場合、配置選択情報中の重なり位置情報に基づいて、携帯端末１０で指定された位置で複数のページを前後に重ねて、１画面の表示画像を生成する。また、本例のサーバ２０の画像生成手段２３は、重なり有りの場合、重なり割合情報に基づいて、携帯端末１０で指定された割合で複数のページを前後に重ねて、１画面の表示画像を生成する。また、本例のサーバ２０の画像生成手段２３は、重なり有りの場合、透過有無情報に基づいて、携帯端末１０で透過して表示することが選択されていた場合には、複数のページのうちで一方のページの重なり部分を他方のページに透過させて、１画面の表示画像を生成する。また、本例のサーバ２０の画像生成手段２３は、重なり有り且つ透過有りの場合、透過度情報で示された透過の程度に従って、複数のページのうちで一方のページの重なり部分を他方のページに透過させる。
【００７５】
ここで、情報を持たない余白部分を切除して合成する。つまり、サーバ２０の画像生成手段２３は、携帯端末１０で選択された複数のページ間の余白部分を検出して、検出された複数のページ間の余白部分を切除し、表示画像を生成する。これにより、ページ結合の表示画像を携帯端末１０でより使い易いものとすることができる。
【００７６】
次に、サーバ２０の画像生成手段２３は、合成画像から、携帯端末１０の表示手段１３の画面上で表示すべき領域の部分画像を抽出し、その部分画像を拡大又は縮小することで携帯端末１０の表示手段１３の画面で表示可能なサイズ（１画面）の表示画像を生成する（ステップＳ１８）。ここで、サーバ２０の画像生成手段２３は、携帯端末１０で選択された複数のページの全体のうちで複数のページ間の結合領域を含む部分画像を生成する。
【００７７】
次に、サーバ２０の通信手段２１によって、携帯端末１０に対し、サーバ２０の画像生成手段２３で生成された１画面の表示画像を送信する（ステップ２０）。その１画面の表示画像は、携帯端末１０の通信手段１１によって受信される（ステップＳ２２）。
【００７８】
携帯端末１０の表示手段１３は、サーバ２０から送信された１画面の表示画像を表示する（ステップＳ２４）。
【００７９】
尚、サーバ２０の通信手段２１によって携帯端末から複数のページの全体画像のうちで結合領域とは異なる領域の部分画像の要求を受信した場合、サーバ２０の画像生成手段２３によって、携帯端末１０から要求された領域の部分画像を生成し、サーバ２０の通信手段２１によって、生成された部分画像を携帯端末１０に送信する。
【００８０】
なお、本発明は、本明細書において説明した例や図面に図示された例には限定されず、本発明の要旨を逸脱しない範囲において、各種の設計変更や改良を行ってよいのはもちろんである。
【符号の説明】
【００８１】
１０…携帯端末、１１…携帯端末の通信手段、１２…携帯端末の指示入力手段、１３…携帯端末の表示手段、１９…携帯端末の制御手段、２０…サーバ、２１…サーバの通信手段、２２…サーバのページ取得手段、２３…サーバの画像生成手段、２９…サーバの制御手段
【図１】
0005788736.tif 000002
【図２】
0005788736.tif 000003
【図３】
0005788736.tif 000004
【図４】
0005788736.tif 000005
【図５】
0005788736.tif 000006
【図６】
0005788736.tif 000007